(57)【要約】【課題】ネットワークに接続された節電端末の節電モードを解析し、所定のアルゴリズムで節電すべき節電端末が存在すると判断した場合に、その節電端末に対して、解析結果を利用した節電コマンドを送信する装置を提供する。【解決手段】プリンタ２０と通信可能に接続された節電モード切替装置５０であって、プリンタ２０に対して、プリンタ２０のＷｅｂ設定ページを取得し、Ｗｅｂ設定ページから、プリンタ２０の機種名を決定し、プリンタ２０を、所定のアルゴリズムで節電モードに切替えるかを判断する。そして、節電モードに切替えると判断した場合には、機種名に基づいて、送信する節電モードコマンドを判断して、節電モードコマンドを該当するプリンタ２０に送信する。【選択図】図１
2011141656.tif 000002
【特許請求の範囲】
【請求項１】
節電モードに切替え可能な節電端末と通信可能に接続された節電モード切替装置であって、
前記節電端末に対して、当該節電端末の設定ページを取得する設定画面取得手段と、
前記設定ページから、前記節電端末の機種名を決定する機種名決定手段と、
前記節電端末を、前記節電モードに切替えるかを判断する節電モード切替判断手段と、
前記節電端末を、前記節電モードに切替えると判断した場合には、前記機種名に基づいて、送信する節電モードコマンドを判断するコマンド判断手段と、
前記節電モードコマンドを前記節電端末に送信する節電モードコマンド送信手段と、
を備える節電モード切替装置。
【請求項２】
前記節電モード切替判断手段は、前記節電端末を利用するユーザ端末の電源状態又は印刷使用状態に応じて、前記節電端末を節電モードに切替えるか否かを判断する請求項１に記載の節電モード切替装置。
【請求項３】
前記節電モード切替判断手段は、前記節電端末の周辺に他の節電端末が起動中であることに応じて、前記節電端末を節電モードに切替えるか否かを判断する請求項１又は２に記載の節電モード切替装置。
【請求項４】
節電モードに切替え可能な節電端末と通信可能に接続された節電モード切替装置と、サーバとからなるシステムであって、
前記節電モード切替装置は、
前記節電端末に対して、当該節電端末の設定ページを取得する設定画面取得手段と、
前記設定ページから、前記節電端末の機種名を決定するデータを前記サーバに要求する機種名要求手段と、
前記節電端末を、前記節電モードに切替えるかを判断する節電モード切替判断手段と、
前記節電端末を、前記節電モードに切替えると判断した場合には、前記機種名に基づいて、送信する節電モードコマンドを前記サーバに要求するコマンド要求手段と、を備え、
前記サーバは、
前記機種名要求手段から要求があった場合に、前記設定ページから、前記節電端末の機種名を決定する機種名決定手段と、
前記コマンド要求手段から要求があった場合には、前記機種名に基づいて、送信する節電モードコマンドを判断し、当該節電モードコマンドを前記コマンド要求手段に返信するコマンド判断手段と、を備え、
前記節電モード切替装置は、受信した前記節電モードコマンドを前記節電端末に送信する節電モードコマンド送信手段と、
を備えるシステム。
【請求項５】
節電モードに切替え可能な節電端末と通信可能に接続された節電モード切替装置が実行する方法であって、
前記節電端末に対して、当該節電端末の設定ページを取得する設定画面取得ステップと、
前記設定ページから、前記節電端末の機種名を決定する機種名決定ステップと、
前記節電端末を、前記節電モードに切替えるかを判断する節電モード切替判断ステップと、
前記節電端末を、前記節電モードに切替えると判断した場合には、前記機種名に基づいて、送信する節電モードコマンドを判断するコマンド判断ステップと、
前記節電モードコマンドを前記節電端末に送信する節電モードコマンド送信ステップと、
を備える方法。
【請求項６】
節電モードに切替え可能な節電端末と通信可能に接続された節電モード切替装置が実行する方法であって、
前記節電端末を、前記節電モードに切替えるかを判断する節電モード切替判断ステップと、
前記節電端末を、前記節電モードに切替えると判断した場合には、前記節電端末に対して、当該節電端末の設定ページを取得する設定画面取得ステップと、
前記設定ページから、前記節電端末の機種名を決定する機種名決定ステップと、
前記機種名に基づいて、送信する節電モードコマンドを判断するコマンド判断ステップと、
前記節電モードコマンドを前記節電端末に送信する節電モードコマンド送信ステップと、
を備える方法。
【請求項７】
節電モードに切替え可能な節電端末と通信可能に接続された節電モード切替装置に、
前記節電端末に対して、当該節電端末の設定ページを取得する設定画面取得ステップ、
前記設定ページから、前記節電端末の機種名を決定する機種名決定ステップ、
前記節電端末を、前記節電モードに切替えるかを判断する節電モード切替判断ステップ、
前記節電端末を、前記節電モードに切替えると判断した場合には、前記機種名に基づいて、送信する節電モードコマンドを判断するコマンド判断ステップ、
前記節電モードコマンドを前記節電端末に送信する節電モードコマンド送信ステップ、
を実行させるためのプログラム。
【発明の詳細な説明】
【技術分野】
【０００１】
本発明は、ネットワークに接続された機器の節電モードの切替装置、システム、方法及びプログラムに関する。
【背景技術】
【０００２】
近年、資源環境問題や省エネルギーが注目されていることから、ネットワークに接続されたプリンタ等の機器の消費電力を、可能な限り低減することが望まれている。特に、プリンタについては、一定時間、使用がない場合に、通常のモードから節電モードに切替えて、消費電力を低減することが知られている（例えば、非特許文献１）。
【０００３】
さらに、プリンタが複数台、設置されている場合に、これらのプリンタを統一的に管理するサーバにより、複数のプリンタを一斉に節電モード等に切替える技術が知られている（例えば、特許文献１）。
【先行技術文献】
【特許文献】
【０００４】
【特許文献１】特開２００３−７８６７３号公報
【非特許文献】
【０００５】
【非特許文献１】富士ゼロックス株式会社、“省資源化や省エネルギーなど、環境に配慮したエコロジー設計”、［ｏｎｌｉｎｅ］、［平成２１年１２月２１日検索］、インターネット＜ＵＲＬ：ｈｔｔｐ：//ｗｗｗ.ｆｕｊｉｘｅｒｏｘ.ｃｏ.ｊｐ/ｐｒｏｄｕｃｔ/ｄｏｃｕｐｒｉｎｔ＿ｃ５２５ａ/ｅｃｏｌｏｇｙ.ｈｔｍｌ＞
【発明の概要】
【発明が解決しようとする課題】
【０００６】
しかしながら、非特許文献１の方法では、節電モードに切替える対象が対象となるプリンタ1台のみであり、かつ、節電モードに切替える判断要素が単独のプリンタの使用状況が考慮されるに過ぎない。したがって、複数のプリンタの個々の利用状況を考慮して、複数のプリンタに対して、節電モードに切替えるまでは、制御することができない。
【０００７】
例えば、パソコンから印刷指示を受ける３台のプリンタがネットワークに接続されているとする。３台のプリンタは、３台とも頻繁には、使用されていないが、印刷要求があった場合には、節電モードから印刷までの起動に時間がかかることなく、すぐに印刷してほしいとユーザが欲するとする。この場合には、「２台のプリンタを節電モードにして、１台のプリンタを通常のモードのままに設定しておく」といった設定が望まれる。しかし、非特許文献１では、このような複数台のプリンタまで考慮した節電設定を行なうことが不可能である。
【０００８】
上記のような課題に対して、特許文献１では、サーバが複数のプリンタを一元管理することで、複数のプリンタに対して個別の設定を行なうことが、ある程度は可能になる。
【０００９】
しかしながら、特許文献１では、実際のオフィスで利用することが困難な場合がある。すなわち、特許文献１では、サーバから節電モードの命令が所定時間に各プリンタに送信されることで、節電モードに切替えられることとなっている。しかし、現実のオフィスでは、種類及び世代、メーカ等が異なるプリンタが設置されており、これらのプリンタは、それぞれ、節電モードの種類や節電モードを実現するプログラム等が全く異なる。
【００１０】
したがって、サーバから、個々のプリンタに対して、統一的な節電モードの命令を送信して、節電モードに切替えることは、同一のエージェントプログラムを全てのプリンタにインストールしていなくては不可能である。エージェントプログラムをメーカ等の異なる全てのプリンタに対して、インストールすることは、インストールが不可能なプリンタが存在する場合もあるし、インストールやその後の管理等が管理者にとって手間がかかるため、現実的ではない。
【００１１】
そこで、本発明者らは、個々のプリンタに対して、個別に異なる命令を送ることで、個々のプリンタが実行する節電モードを解析し、装置が、節電すべきプリンタに対して、この解析結果を利用した節電モードの命令を送信する装置を提供することが望ましいことに着目した。また、この節電モードの切替が必要な電化製品は、プリンタに限定されることなく、一般的な節電端末に広く応用されてもよいことに着目した。
【００１２】
本発明の目的は、ネットワークに接続された節電端末の節電モードを解析し、所定のアルゴリズムで節電すべき節電端末が存在すると判断した場合に、その節電端末に対して、解析結果を利用した節電コマンドを送信する装置、システム、方法、及びプログラムを提供することである。
【課題を解決するための手段】
【００１３】
本発明では、以下のような解決手段を提供する。
【００１４】
（１）  節電モードに切替え可能な節電端末と通信可能に接続された節電モード切替装置であって、
前記節電端末に対して、当該節電端末の設定ページを取得する設定画面取得手段と、
前記設定ページから、前記節電端末の機種名を決定する機種名決定手段と、
前記節電端末を、前記節電モードに切替えるかを判断する節電モード切替判断手段と、
前記節電端末を、前記節電モードに切替えると判断した場合には、前記機種名に基づいて、送信する節電モードコマンドを判断するコマンド判断手段と、
前記節電モードコマンドを前記節電端末に送信する節電モードコマンド送信手段と、
を備える節電モード切替装置。
【００１５】
（１）の発明では、節電モード切替装置が、節電端末（例えば、プリンタ）に対して、当該節電端末の設定ページを取得し、この設定ページから、節電端末の機種名を決定する。そして、節電端末を、節電モードに切替えるかを判断し、節電モードに切替えると判断した場合には、決定した機種名に基づいて、送信する節電モードのコマンドを判断し、節電モードのコマンドを節電端末に送信する。
【００１６】
したがって、（１）の発明によれば、接続された節電端末の節電モード（節電端末の機種名から判別できる節電設定）を解析し、所定のアルゴリズムで節電すべき節電端末が存在すると判断した場合には、その節電端末に対して、解析結果を利用した節電コマンドを送信する装置を提供することが可能となる。
【００１７】
（２）  前記節電モード切替判断手段は、前記節電端末を利用するユーザ端末の電源状態又は印刷使用状態に応じて、前記節電端末を節電モードに切替えるか否かを判断する（１）に記載の節電モード切替装置。
【００１８】
（２）の発明によれば、節電端末を節電モードに切替えるか否かを判断するにあたって、節電端末を利用するユーザ端末の電源状態又は印刷使用状態に応じて、前記節電端末を節電モードに切替えるか否かを判断する。したがって、節電端末を利用するユーザ端末の状況を考慮して、節電端末の電源状態を切替えることが可能となる。
【００１９】
（３）  前記節電モード切替判断手段は、前記節電端末の周辺に他の節電端末が起動中であることに応じて、前記節電端末を節電モードに切替えるか否かを判断する（１）又は（２）に記載の節電モード切替装置。
【００２０】
（３）の発明によれば、節電端末の周辺に他の節電端末が起動中であることに応じて、節電端末を節電モードに切替えるか否かを判断することができる。
【００２１】
（４）  節電モードに切替え可能な節電端末と通信可能に接続された節電モード切替装置と、サーバとからなるシステムであって、
前記節電モード切替装置は、
前記節電端末に対して、当該節電端末の設定ページを取得する設定画面取得手段と、
前記設定ページから、前記節電端末の機種名を決定するデータを前記サーバに要求する機種名要求手段と、
前記節電端末を、前記節電モードに切替えるかを判断する節電モード切替判断手段と、
前記節電端末を、前記節電モードに切替えると判断した場合には、前記機種名に基づいて、送信する節電モードコマンドを前記サーバに要求するコマンド要求手段と、を備え、
前記サーバは、
前記機種名要求手段から要求があった場合に、前記設定ページから、前記節電端末の機種名を決定する機種名決定手段と、
前記コマンド要求手段から要求があった場合に、前記機種名に基づいて、送信する節電モードコマンドを判断し、当該節電モードコマンドを前記コマンド要求手段に返信するコマンド判断手段と、を備え、
前記節電モード切替装置は、受信した前記節電モードコマンドを前記節電端末に送信する節電モードコマンド送信手段と、
を備えるシステム。
【００２２】
（４）の発明によれば、節電モード切替装置は、節電端末に対して、当該節電端末の設定ページを取得し、設定ページから、節電端末の機種名を決定するデータをサーバに要求し、節電端末を、節電モードに切替えるかを判断し、節電端末を、節電モードに切替えると判断した場合には、前記機種名に基づいて、送信する節電モードコマンドをサーバに要求する。そして、サーバは、機種名を決定するデータの要求があった場合に、設定ページから、節電端末の機種名を決定する。そして、節電モードコマンドの要求があった場合に機種名に基づいて、送信する節電モードコマンドを判断し、当該節電モードコマンドを節電モード切替装置に返信する。そして、節電モード切替装置は、受信した節電モードコマンドを節電端末に送信する。
【００２３】
（５）  節電モードに切替え可能な節電端末と通信可能に接続された節電モード切替装置が実行する方法であって、
前記節電端末に対して、当該節電端末の設定ページを取得する設定画面取得ステップと、
前記設定ページから、前記節電端末の機種名を決定する機種名決定ステップと、
前記節電端末を、前記節電モードに切替えるかを判断する節電モード切替判断ステップと、
前記節電端末を、前記節電モードに切替えると判断した場合には、前記機種名に基づいて、送信する節電モードコマンドを判断するコマンド判断ステップと、
前記節電モードコマンドを前記節電端末に送信する節電モードコマンド送信ステップと、
を備える方法。
【００２４】
（５）の発明では、節電モード切替装置が、節電端末（例えば、プリンタ）に対して、当該節電端末の設定ページを取得し、この設定ページから、節電端末の機種名を決定する。そして、節電端末を、節電モードに切替えるかを判断し、節電モードに切替えると判断した場合には、決定した機種名に基づいて、送信する節電モードのコマンドを判断し、節電モードのコマンドを節電端末に送信する。
【００２５】
したがって、（５）の発明によれば、接続された節電端末の節電モード（節電端末の機種名から判別できる節電設定）を解析し、所定のアルゴリズムで節電すべき節電端末が存在すると判断した場合には、その節電端末に対して、解析結果を利用した節電コマンドを送信することが可能となる。
【００２６】
（６）  節電モードに切替え可能な節電端末と通信可能に接続された節電モード切替装置が実行する方法であって、
前記節電端末を、前記節電モードに切替えるかを判断する節電モード切替判断ステップと、
前記節電端末を、前記節電モードに切替えると判断した場合には、前記節電端末に対して、当該節電端末の設定ページを取得する設定画面取得ステップと、
前記設定ページから、前記節電端末の機種名を決定する機種名決定ステップと、
前記機種名に基づいて、送信する節電モードコマンドを判断するコマンド判断ステップと、
前記節電モードコマンドを前記節電端末に送信する節電モードコマンド送信ステップと、
を備える方法。
【００２７】
（６）の発明では、節電モード切替装置が、節電端末（例えば、プリンタ）に対して、まず、節電端末を、節電モードに切替えるかを判断し、節電端末を、前記節電モードに切替えると判断した場合には、前記節電端末に対して、当該節電端末の設定ページを取得する。そして、設定ページから、節電端末の機種名を決定し、機種名に基づいて、送信する節電モードコマンドを判断して、節電モードコマンドを節電端末に送信する。
【００２８】
したがって、（６）の発明によれば、節電端末を節電モードに切替えると判断した後に、設定ページの取得からの処理を実行することで、リアルタイムに、適切な機種名に基づいた、節電モードコマンドを送信することが可能となる。
【００２９】
（７）  節電モードに切替え可能な節電端末と通信可能に接続された節電モード切替装置に、
前記節電端末に対して、当該節電端末の設定ページを取得する設定画面取得ステップ、
前記設定ページから、前記節電端末の機種名を決定する機種名決定ステップ、
前記節電端末を、前記節電モードに切替えるかを判断する節電モード切替判断ステップ、
前記節電端末を、前記節電モードに切替えると判断した場合には、前記機種名に基づいて、送信する節電モードコマンドを判断するコマンド判断ステップ、
前記節電モードコマンドを前記節電端末に送信する節電モードコマンド送信ステップ、
を実行させるためのプログラム。
【００３０】
（７）の発明では、節電モード切替装置が、節電端末（例えば、プリンタ）に対して、当該節電端末の設定ページを取得し、この設定ページから、節電端末の機種名を決定する。そして、節電端末を、節電モードに切替えるかを判断し、節電モードに切替えると判断した場合には、決定した機種名に基づいて、送信する節電モードのコマンドを判断し、節電モードのコマンドを節電端末に送信する。
【００３１】
したがって、（７）の発明によれば、接続された節電端末の節電モード（節電端末の機種名から判別できる節電設定）を解析し、所定のアルゴリズムで節電すべき節電端末が存在すると判断した場合には、その節電端末に対して、解析結果を利用した節電コマンドを送信することが可能となる。
【発明の効果】
【００３２】
本願発明によれば、接続された節電端末の節電モードを解析し、所定のアルゴリズムで節電すべき節電端末が存在すると判断した場合には、その節電端末に対して、解析結果を利用した節電コマンドを送信する装置を提供することが可能となる。
【図面の簡単な説明】
【００３３】
【図１】節電モード切替装置５０、プリンタ２０の機能ブロック図である。
【図２】節電モード切替処理のフローチャートである。
【図３】Ｗｅｂ設定ページの画面イメージ図である。
【図４】節電モード切替判断処理１のフローチャートである。
【図５】節電モード切替判断処理２のフローチャートである。
【図６】複数のプリンタ２０等の機器が配置された状況を示すイメージ図である。
【図７】節電モード切替判断テーブル１を示す図である。
【図８】節電モード切替判断テーブル２を示す図である。
【図９】第２実施形態として、節電モード切替装置５０、プリンタ２０、プリンタ識別サーバ１００の機能ブロック図である。
【発明を実施するための形態】
【００３４】
以下、本発明を実施するための最良の形態について図を参照しながら説明する。なお、これはあくまでも一例であって、本発明の技術的範囲はこれに限られるものではない。
【００３５】
［第１実施形態］
図１は、節電モード切替装置５０、プリンタ２０の機能ブロック図である。
【００３６】
ネットワークシステム１は、ローカルネットワークであって、例えば、イントラネットもしくは家庭内ネットワークであってよい。ネットワークシステム１は、節電モード切替装置５０と、プリンタ２０と、により構成される。節電モード切替装置５０は、有線・無線ＬＡＮを介して、プリンタ２０に通信可能に接続される。
【００３７】
節電モード切替装置５０は、ＣＰＵ等の制御部、メモリ等の記憶部、ネットワーク・アダプタ等の通信部を備える通常の情報処理端末であって、ローカルネットワークに接続可能な機器であればよい。節電モード切替装置５０は、例えば、サーバ、ルータ、ゲートウェイ、フェムトセル、ＮＡＳ（Ｎｅｔｗｏｒｋ  Ａｔｔａｃｈｅｄ  Ｓｔｏｒａｇｅ）、パソコン、テレビ、携帯電話、携帯情報端末、携帯型音楽プレーヤ、テレビ、オーディオコンポ、メディアプレーヤ、コンテンツ再生・録画プレーヤ、プリンタ、電話機、ＦＡＸ機、コピー機、スキャナ機、ＭＦＰ（多機能周辺装置、多機能プリンタ）等の情報家電のみならず、冷蔵庫、洗濯機、食器洗浄乾燥機、扇風機、エアコン、電気ストーブ、炊飯器、電子レンジ等の白物家電や、電気照明、交換機等に付加される装置であってよい。
【００３８】
節電モード切替装置５０は、プリンタ２０のＷｅｂ設定ページをプリンタ２０から取得する設定画面取得手段５１と、取得したＷｅｂ設定ページからプリンタ２０の機種名を決定する機種名決定手段５２と、プリンタ２０を節電モードに切替えるか否かを判断する節電モード切替判断手段５３と、プリンタ２０の機種名に基づいて、送信する節電モードコマンドを判断するコマンド判断手段５４と、節電モードコマンドを前記節電端末に送信する節電モードコマンド送信手段５５とを備える。
【００３９】
プリンタ２０は、本発明における「節電端末」に該当する。節電端末は、下記の設定画面送信手段２３及び節電モード切替手段２５を備えれば、本実施例のように、印刷用機器であることを前提とせず、一般的な電化製品であってよい。電化製品としては、例えば、テレビ、電話機、コンピュータに加えて、携帯電話、携帯情報端末、携帯型音楽プレーヤ、オーディオコンポ、メディアプレーヤ、コンテンツ再生・録画プレーヤ、プリンタ、ＦＡＸ機、コピー機、スキャナ機、ＭＦＰ（多機能周辺装置、多機能プリンタ）等の情報家電のみならず、冷蔵庫、洗濯機、食器洗浄乾燥機、扇風機、エアコン、電気ストーブ、炊飯器、電子レンジ等の白物家電や、電気照明、サーバ、交換機、ルータ等であってよい。以下では、節電端末がプリンタ２０であるとして説明する。
【００４０】
プリンタ２０は、節電モード切替装置５０からの取得要求に応じて、Ｗｅｂ設定ページを送信する設定画面送信手段２３と、節電モード切替装置５０から送信された節電モードコマンドを受信して、節電モードに切替える節電モード切替手段２５とを備える。
【００４１】
節電モードとは、プリンタ２０等の節電端末の一部の機能を停止（休止）することで、機能を停止しない通常の節電端末の消費電力に比べて、消費電力を削減することが可能な状態である。節電端末は、通常の消費電力状態から、この節電モードに切り替え可能な端末である。
【００４２】
［節電モード切替処理のフローチャート］
図２は、節電モード切替装置５０が実行する節電モード切替処理のフローチャートである。最初に、節電モード切替装置５０の設定画面取得手段５１は、プリンタ２０が提供するＷｅｂ設定ページを取得する（ステップＳ１１）。具体的には、設定画面取得手段５１からプリンタ２０に対するＷｅｂ設定ページの要求に対して、プリンタ２０の設定画面送信手段２３が、Ｗｅｂ設定ページを送信する。節電端末であるプリンタ２０は、ユーザ端末３０からのＷｅｂブラウザによるアクセスにより、節電モードへの切替が可能である。
【００４３】
節電モード切替装置５０は、Ｗｅｂ設定ページを取得するために、例えば、ｈｔｔｐ：／／１９２．１６８．１．１／（そのプリンタ２０自身のＩＰ（Ｉｎｔｅｒｎｅｔ  Ｐｒｏｔｏｃｏｌ）アドレス）であってよい）又は、ｈｔｔｐ：／／ｓｅｔｕｐ/等の、ＨＴＴＰ（Ｈｙｐｅｒ  Ｔｅｘｔ  ｔｒａｎｓｆｅｒ  Ｐｒｏｔｏｃｏｌ）リクエストをプリンタ２０に対して送信する。プリンタ２０は、ＨＴＴＰリプライを返答するが、この際に、ユーザに対して、ＩＤとパスワードを要求してもよい。この場合は、一般的なＩＤ、パスワードを節電モード切替装置５０に記憶させておき、これを自動的に入力して、Ｗｅｂ設定ページへのログインを試みる。この自動ログインでログインが出来ない場合に、管理者からＩＤ、パスワードの入力を受け付けてもよい。
【００４４】
図３は、Ｗｅｂ設定ページの画面イメージ図である。節電モード切替装置５０は、このＷｅｂ設定ページ２００を取得するのみであり、Ｗｅｂ設定ページ２００が、節電モード切替装置５０により表示されるわけではない。ここでは、節電モード切替装置５０が取得するＷｅｂ設定ページ２００について説明するために、Ｗｅｂ設定ページ２００の画面イメージ図を用いる。Ｗｅｂ設定ページ２００は、プリンタ２０の一般的な設定を変更するためのページであって、プリンタ２０を節電モードに切替えるインターフェースを少なくとも含むページである。この例では、プリンタ２０を節電モードに切替えるボタン２１０と、節電モードに切替るためのスタンバイ時間変更ボタン２２０を備える。スタンバイ時間変更ボタン２２０は、プリンタ２０が節電モードに切替わるまでの時間を設定するボタンである。
【００４５】
設定画面取得手段５１が、Ｗｅｂ設定ページを取得すると、節電モード切替装置５０の機種名決定手段５２は、ページ構成解析処理を実行する（ステップＳ１２）。Ｗｅｂ設定ページを構成するＨＴＭＬ（Ｈｙｐｅｒ  Ｔｅｘｔ  Ｍａｒｋｕｐ  Ｌａｎｇｕａｇｅ）のソーステキストに対して、先頭から字句検索を行ない、タグと内容に分解する。タグと内容をさらに、タグ、タグ名、属性名、属性値とに分解してもよいし、属性値より抜き出されたＵＲＬ（Ｕｎｉｆｏｒｍ  Ｒｅｓｏｕｒｃｅ  Ｌｏｃａｔｏｒ）に対して、再度、字句検索を行ない、ＵＲＬによる遷移の解析を行なってよい。
【００４６】
次に、機種名決定手段５２は、ページ構成解析処理の結果から、プリンタ２０の機種名の決定を行なう（ステップＳ１３）。具体的には、ＨＴＭＬのソーステキストの特徴的な情報と、ライブラリファイルとを比較して、機種名を決定する。ここで、ライブラリファイルとは、予め機種ごとに用意された、機種を識別するためのパターンファイルである。例えば、Ａ機種であれば、ＢのタグとＣの内容を有するということが記述されている。したがって、ＢのタグとＣの内容を有するＨＴＭＬのソーステキストを有するプリンタ２０は、Ａ機種であると決定する。ここで、ＨＴＭＬのソーステキストと、ライブラリファイルの比較は、ソーステキストの特徴的な情報と、ライブラリファイルとのマッチング率に基づいて、スコアリングして数値的な比較により決定してもよい。ライブラリファイルが準備されていないプリンタ２０に対しては、ＨＴＭＬのソーステキストに、機種名が含まれる情報がないか、全文検索してもよい。すなわち、図３の例では、Ｗｅｂ設定ページ２００中にテキスト情報の内容として、プリンタの機種名（ＣＡ−０１）を取得できるため、この情報から、プリンタの機種名を決定することができる。
【００４７】
次に、節電モード切替装置５０の節電モード切替判断手段５３は、節電モード切替判断処理を実行する（ステップＳ１４）。節電モード切替判断処理については、図４から図８に基づいて後述する。
【００４８】
プリンタ２０を節電モードに切替えると判断した場合に、節電モード切替装置５０のコマンド判断手段５４は、コマンド判断処理を実行する（ステップＳ１５）。すなわち、コマンド判断手段５４は、機種名決定手段５２により決定された機種名に基づいて、送信する節電モードコマンドを判断する。
【００４９】
節電モードコマンドは、プリンタ２０を節電モードに切替えるためのコマンドであって、例えば、解析されたＨＴＭＬソーステキストに対して、節電モードに切替えるためのＨＴＴＰリクエストコマンドである。図３の例では、節電モードコマンドは、プリンタ２０を節電モードに切替えるボタン２１０を有効にするためのコマンド（ＨＴＴＰリクエストコマンド）である。
【００５０】
機種名ごとに設けられたライブラリファイルに節電モードコマンドが記述され、機種名が決定されると、該当するライブラリファイルの節電モードコマンドを参照して、これによりコマンドを判断してもよい。また、例えば、ＨＴＭＬソーステキストの解析において、事前に、全文検索で「節電」、「エコ」、「省電力」等の語を検索し、この語が検索されたＨＴＭＬソーステキストの近辺にて、どのコマンドを操作すれば、節電モードが有効になるかをＨＴＭＬ解析により判断してもよい。
【００５１】
次に、節電モード切替装置５０の節電モードコマンド送信手段５５は、節電モードコマンドを該当するプリンタ２０に対して送信する（ステップＳ１６）。これを受信したプリンタ２０の節電モード切替手段２５は、電源状態を通常のモードから、節電モードに切替える。
【００５２】
なお、節電モード切替判断処理（ステップＳ１４）の後に、Ｗｅｂ設定ページの取得（ステップＳ１１）から機種名の決定（ステップＳ１３）までの処理が実行され、コマンド判断処理（ステップＳ１５）、節電モードコマンド送信処理（ステップＳ１６）が実行されてもよい。この場合は、プリンタ２０を節電モードに切替えると判断した後に、Ｗｅｂ設定ページの取得からの処理を実行することで、リアルタイムに、適切な機種名に基づいた、節電モードコマンドを送信することが可能となる。
【００５３】
［節電モード切替判断処理１］
節電モード切替装置５０の節電モード切替判断手段５３は、図４に示す節電モード切替判断処理１又は後述する２を実行する。ここでは、図４に示す節電モード切替判断処理１を説明する。節電モード切替判断処理のアルゴリズムとしては、原則としては、プリンタ２０が所定時間未使用である、若しくは、これから所定時間使用されないと予想される場合に、節電モードに切替えるとするアルゴリズムであってよい。例えば、図４に示すように、プリンタ２０の周辺のユーザ端末３０の電源状態と印刷使用状態に基づいて、プリンタ２０を節電モードに切替えるか否かを判断する。
【００５４】
節電モードへの切替判断は、オフィスや家庭におけるプリンタ２０の使用状態に基づいて判断させる。一例として、図６を参照し、複数のプリンタ２０−ａ〜ｄと、プリンタ２０−ａ〜ｄに対して印刷指示を行なうユーザ端末３０−ａ〜ｆとが、プリンタ島１，２にそれぞれ分かれて配置されている。節電モード切替装置５０、プリンタ２０−ａ〜ｄ、ユーザ端末３０−ａ〜ｆはそれぞれ通信可能である（図６では、各機器との接続を省略している）。このように、ユーザ端末３０−ａ〜ｆとプリンタ２０−ａ〜ｄとが複雑に配置された場合に、どのプリンタ２０−ａ〜ｄを節電モードに切替えるべきか判断するアルゴリズムについて、図７の節電モード切替判断テーブル１を参照して説明する。
【００５５】
図４の節電モード切替判断処理１の前提として、図６のプリンタ２０−ａ〜ｄ、ユーザ端末３０−ａ〜ｆの配置状況を示すテーブル（プリンタ島の設定）を、節電モード切替装置５０に記憶しておく。すなわち、図７の節電モード切替判断テーブル１において、横軸の「共有プリンタ名」、「配下ＰＣ」（電源状態は空欄）が予め入力される。ここで、プリンタ島とは、一のプリンタ２０を共有する複数のユーザ端末３０のグループのことである。プリンタ島が同じユーザ端末３０は、同一のプリンタ２０を共有する。このように、プリンタ２０−ａ〜ｄ、ユーザ端末３０−ａ〜ｆの配置状況を示すテーブル（プリンタ島の設定）は、管理者が事前に作成し、節電モード切替装置５０に記憶する。なお、図７、図８では、共有プリンタがプリンタ島１、２ごとに１台しかテーブル上に記載されていないが、図６のように、プリンタ島１，２ごとに、プリンタが２台配置されている場合には、プリンタ島１，２ごとに２台の共有プリンタがテーブル上に備えられる。
【００５６】
節電モード切替装置５０は、各プリンタ島の配下にあるユーザ端末３０−ａ〜ｆ（ＰＣ−０１〜ＰＣ−０６に対応）の電源状態を確認する（ステップＳ２０）。すなわち、節電モード切替装置５０は、各ユーザ端末３０−ａ〜ｆに対して、ＰＩＮＧコマンド等の電源状態の確認コマンドを送信し、リプライがあるかを確認することで、ユーザ端末３０−ａ〜ｆの電源がオフである又はスタンバイ状態であるか否かを判断する。このように、確認した結果、節電モード切替判断テーブル１の「電源状態」の欄を更新する。単に、ＰＩＮＧコマンドのリプライがあれば、電源がオフである又はスタンバイ状態であると判断してよいし、電源がオフであるかスタンバイ状態であるかを判断する専用のコマンドで判断してもよい。
【００５７】
そして、配下の全てのユーザ端末３０が、電源状態がオフ又はスタンバイであるプリンタ島を抽出して（ステップＳ２０:ＹＥＳ）、そのプリンタ島のプリンタ２０（ここでは、プリンタ０２）を、節電モードに切替えるべきプリンタであると判断する（ステップＳ２１）。ここで、節電モード切替装置５０は、ユーザ端末３０−ａ〜ｆの電源がオフである又はスタンバイ状態であると判断する際に、電源オフ又はスタンバイ状態に切替ってから、所定時間経過したときのみ、電源がオフである又はスタンバイ状態であると判断してもよい。
【００５８】
［節電モード切替判断処理２］
次に、図５と図８を参照して、節電モード切替判断テーブル２の場合の節電モード切替判断処理２について説明する。最初に、一のプリンタ島で、プリンタ２０の数と、印刷回数とを比較する（ステップＳ３０）。すなわち、節電モード切替判断テーブル２に示すように、一のプリンタ島１において、プリンタ２０が、プリンタ０１とプリンタ０２の２台に対して、ユーザ端末３０（配下ＰＣ：ＰＣ−０１〜０６）からの印刷回数が、２回である。したがって、一のプリンタ島において、プリンタ数と印刷回数が等しい（ステップＳ３０：ＹＥＳ）ことから、プリンタ０１又はプリンタ０２を節電モードに切替えると判断する（ステップＳ３１）。ここで、プリンタ０１又はプリンタ０２のどちらを節電モードに切替えるかは、事前に管理者が指定しておいてもよいし、直近の印刷要求が、カラーであった場合には、モノクロのみの印刷が可能なプリンタが、節電モードに切替えるべきプリンタとしてもよい。このように、プリンタ２０の周辺に他のプリンタ２０が起動中であるか否かに応じて、プリンタ２０を節電モードに切替えるか否かを判断することができる。
【００５９】
［第２実施形態：プリンタ識別サーバ］
上記の第１実施形態では、節電モード切替装置５０がプリンタ２０の機種名を決定し、節電モードコマンドを判断する態様について説明したが、これに限られず、プリンタ２０の機種名の決定及び、節電モードコマンドの判断を、公衆回線を介して接続されたプリンタ識別サーバ１００が決定する態様を第２実施形態として、以下に説明する。
【００６０】
図９に示すように、節電モード切替システム５は、節電モード切替装置５０と、プリンタ２０と、プリンタ識別サーバ１００とから構成される。好適な実施形態では、プリンタ２０と節電モード切替装置５０が、ローカルネットワーク（ホームネットワーク）で通信可能に接続され、プリンタ識別サーバ１００とは、公衆回線（インターネット等）を介して、通信可能に接続されている。
【００６１】
節電モード切替装置５０は、設定画面取得手段５１と、機種名要求手段６０と、節電モード切替判断手段５３と、コマンド要求手段６１と、節電モードコマンド送信手段５５とを備える。設定画面取得手段５１と、節電モード切替判断手段５３と、節電モードコマンド送信手段５５は、第一実施形態の各手段と同様の機能を有する。機種名要求手段６０は、プリンタ識別サーバ１００の機種名決定手段１１０に対して、機種名を要求する手段である。コマンド要求手段６１は、プリンタ識別サーバ１００のコマンド判断手段１２０に対して、節電モードコマンドを要求する手段である。機種名要求手段６０は、プリンタ識別サーバ１００の機種名決定手段１１０の機種名のデータを受信して記憶する。また、コマンド要求手段６１は、プリンタ識別サーバ１００のコマンド判断手段１２０が判断した節電モードコマンドのデータを受信して記憶する。
【００６２】
プリンタ識別サーバ１００は、イントラネット上又はインターネットを介してサービスを提供するサーバであって、少なくとも、機種名決定手段１１０と、コマンド判断手段１２０とを備える。機種名決定手段１１０は、第一実施形態の機種名決定手段５２と同様の機能を有し、コマンド判断手段１２０は、第一実施形態のコマンド判断手段５４と同様の機能を有する。
【００６３】
プリンタ２０は、第一実施形態と同様に、設定画面送信手段２３と、節電モード切替手段２５とを有し、これらの手段も、対応する第一実施形態と同様の機能を有する。
【００６４】
したがって、機種名の決定とコマンド判断を、ＳａａＳ（Ｓｏｆｔｗａｒｅ  ａｓ  ａ  Ｓｅｒｖｉｃｅ）型に提供することができる。すなわち、プリンタ識別サーバ１００が機種名とコマンドを決定するため、節電モード切替装置５０のライブラリファイル等が新たに更新されても、プリンタ識別サーバ１００のライブラリファイルが記憶されたデータベースのみを更新すればよいため、利便性が向上できる。
【００６５】
すなわち、節電モード切替装置５０は、ユーザの家庭や企業内に少なくとも１台配置されるため、これらの個々の節電モード切替装置５０のライブラリファイルを更新することは、効率的ではない場合がある。これに対して、プリンタ識別サーバ１００のライブラリファイルのデータベースのみの更新で、更新を行うことができるため、結果として、プリンタ２０の機種名を決定するための情報の管理の一元化を図ることが可能である。ライブラリファイルは、プリンタ２０の種別が増える度（新しいプリンタ２０がリリースされるたび）に更新されるため、一元化により利便性が大いに高まる。
【００６６】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００６７】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６８】
１  ネットワークシステム
５  節電モード切替システム
２０  プリンタ
５０  節電モード切替装置
１００  プリンタ識別サーバ
【図１】
2011141656.tif 000003
【図２】
2011141656.tif 000004
【図３】
2011141656.tif 000005
【図４】
2011141656.tif 000006
【図５】
2011141656.tif 000007
【図６】
2011141656.tif 000008
【図７】
2011141656.tif 000009
【図８】
2011141656.tif 000010
【図９】
2011141656.tif 000011